【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
移動可能に形成される移動部材と、その移動部材を移動させるための駆動力を発生する駆動手段とを備えた遊技機において、
前記駆動手段から伝達される駆動力により回転される回転部材と、その回転部材に配設されると共に前記回転部材の回転軸に対して偏心して位置するピン部とを備え、
前記移動部材は、前記ピン部を内壁面に沿って案内する溝状の案内溝部を備え、
前記案内溝部は、その案内溝部の内壁面に凹設されると共に前記ピン部を受入可能に形成される凹部を備え、
前記移動部材が所定位置に達した後、前記ピン部が更に移動して前記凹部に受け入れられることで、前記移動部材が前記所定位置に機械的に保持されることを特徴とする遊技機。
【請求項２】
基板ボックスを備えることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、移動可能に形成される移動部材と、その移動部材を移動させるための駆動力を発生する駆動手段とを備えるものであり、前記駆動手段から伝達される駆動力により回転される回転部材と、その回転部材に配設されると共に前記回転部材の回転軸に対して偏心して位置するピン部とを備え、前記移動部材は、前記ピン部を内壁面に沿って案内する溝状の案内溝部を備え、前記案内溝部は、その案内溝部の内壁面に凹設されると共に前記ピン部を受入可能に形成される凹部を備え、前記移動部材が所定位置に達した後、前記ピン部が更に移動して前記凹部に受け入れられることで、前記移動部材が前記所定位置に機械的に保持される。
【手続補正３】
【補正対象書類名】明細書
【補正対象項目名】０００８
【補正方法】変更
【補正の内容】
【０００８】
請求項２記載の遊技機は、請求項１記載の遊技機において、基板ボックスを備える。
【手続補正４】
【補正対象書類名】明細書
【補正対象項目名】０６９４
【補正方法】変更
【補正の内容】
【０６９４】
１０              パチンコ機（遊技機）
１３              遊技盤
６４              第１入賞口（第２の入賞口）
７１              第１アウト口（アウト口）
７２              第２アウト口（アウト口）
８１              第３図柄表示装置（液晶表示装置）
１００，１０１，１０２，１０３，１０４ 基板ボックス
３００            回転動作ユニット（演出部材）
４１０            取り付けベース（ベース部材の一部）
４１０ａ          位置決め孔（第１ベース位置決め部）
４１０ｂ          位置決め孔（第２ベース位置決め部）
４２１            裏ケース体（ベース部材の一部）
４２１ａ          位置決め孔（第１ベース位置決め部）
４２１ｂ          位置決め孔（第２ベース位置決め部）
４２６            第１軸
４２７            第２軸
４３０            駆動モータ（駆動手段）
４５１            開閉第１歯車（伝達手段の一部、第１伝達部材、第２伝達部材）
４５１ｄ          連結突部（位置決め手段、突出部）
４５１ｅ          位置決め孔（位置決め手段、第１伝達部材位置決め部）
４５２            開閉第２歯車（伝達手段の一部、第１伝達部材、第２伝達部材）
４５２ｄ          連結突部（ピン部）
４５２ｅ          位置決め孔（位置決め手段、第２伝達部材位置決め部）
４６１            回転第１歯車（伝達手段の一部、駆動手段側部材、第１伝達部材、第２伝達部材）
４６１ａ１        円筒面（非形成部の一部）
４６１ｄ          連結孔（位置決め手段、凹部）
４６２            回転第２歯車（伝達手段の一部、移動部材側部材、第１伝達部材、第２伝達部材）
４６２ａ１        非形成面（非形成部の一部）
４６２ｄ          連結突部（被締結部）
４６２ｅ          位置決め孔（位置決め手段、第２伝達部材位置決め部）
４７１            裏アーム体（第１移動部材または第２移動部材の一部）
４７２            表アーム体（第１移動部材または第２移動部材の一部）
４８１ｃ          連結溝（連結溝部）
４９１，４９２    動作部材（移動部材、第１移動部材、第２移動部材）
５１０            基板部材（ベース部材）
５１１            案内溝（スライド孔）
５２２            駆動モータ（駆動手段）
５２４            クランク歯車（伝達手段の一部）
５２５            連接棒（伝達手段の一部）
５２６            連結軸（伝達手段の一部、接続部材）
５３０            スライド機構部（移動部材）
５３１ｃ          挿通軸（突出部）
５３９            第１結合部材（移動部材の一部、第３移動部材）
５３９ｅ          下面（第３当接部分、第３当接面）
５４１            第１リンク部材（伝達手段の一部、リンク部材）
６００            第２結合動作ユニット（第２の演出部材）
６２１            内側リンク部材（伝達手段の一部）
６２２            外側リンク部材（伝達手段の一部）
６３０            第２結合部材（移動部材の一部、第１移動部材および第２移動部材）
６３０ａ          上面（第１当接部分、第２当接部分、第１当接面、第２当接面）
６３０ｂ          対向面（当接面）
６４０            駆動モータ（駆動手段）
６５０ａ          第２特定入賞口（第１の入賞口）
７００            円環動作ユニット（第２の演出部材）
７１０            中間ケース体（ベース部材の一部）
７１１ａ          正面（対向壁部）
７１３ａ          正面（対向壁部）
７２０            背面ケース体（ベース部材の一部）
７３０            正面ケース体（ベース部材の一部）
７３１ａ          背面（対向壁部）
７３２            柱部（介設部）
７３３            案内棒（延設部材、案内部材の一部）
７４０            駆動モータ（駆動手段）
７６１            ピニオンギヤ（伝達手段の一部、ピニオン）
７６２            ラック（伝達手段の一部）
７７０            リンク部材（伝達手段の一部、連結部材）
７７１            本体部
７７３            突設壁部（連結部材の一部、歯形成部）
７７４            歯車部（第２伝達部材）
７７４ｂ          歯
７８０            昇降ベース体（移動部材、第２移動部材の一部）
７８４            被案内部（案内部、案内部材の一部）
７９０            円環形成部材（移動部材）
７９２            歯車部（第１伝達部材）
８１１            軸（第１軸）
８２０            アーム部材（移動部材）
８２２ａ          第１溝（案内溝部）
８２２ｂ          第２溝（凹部）
８３０            駆動モータ（駆動手段）
８３１            駆動軸（第２軸、回転部材の回転軸）
８３２            駆動アーム（回転部材）
８３３            突設ピン（ピン部）